(57)【要約】【課題】衣服の全体を見ることができるとともに、衣服をくずさずに、棒やフックにかけることができる衣服ケースを提供する。【解決手段】本発明の衣服ケース１００は、第１凹部１３ａを有する第１ケース部１１と、第２凹部１３ｂを有する第２ケース部１２と、両者（１１、１２）を連結する連結部１５とから構成されている。第１ケース部１１と第２ケース部１２を互いに合わせた構造体（１０）において、第１凹部１３ａと第２凹部１３ｂは収納スペース１３を構成し、第１凹部１３ａの底面３５の少なくとも一部および第２凹部１３ｂの底面３５の少なくとも一部は、透光性材料から構成されている。第１ケース部１１および第２ケース部１２が互いに隣接する隣接領域部１９には、当該隣接領域部がフック形状２１となるような開口部２０が形成されている。【選択図】図４
2018015549.tif 000002
【特許請求の範囲】
【請求項１】
衣服を収納する衣服ケースであって、
内側に第１凹部を有する第１ケース部と、
内側に第２凹部を有する第２ケース部と、
前記第１ケース部と前記第２ケース部とを連結する連結部と
を備え、
前記第１ケース部と第２ケース部を互いに合わせた構造体において、前記第１凹部と前記第２凹部は、衣服を収納する収納スペースを構成し、
前記第１凹部の底面の少なくとも一部および前記第２凹部の底面の少なくとも一部は、透光性材料から構成されており、
前記第１ケース部と第２ケース部を互いに合わせた構造体において、前記第１ケース部および前記第２ケース部が互いに隣接する隣接領域部に開口部が形成されており、
前記開口部は、前記隣接領域部がフック形状になるように構成されている、衣服ケース。
【請求項２】
前記第１凹部と前記第２凹部の少なくとも一方には、前記衣服を固定する固定部材が配置されている、請求項１に記載の衣服ケース。
【請求項３】
前記固定部材は、前記第１凹部と前記第２凹部の両方に配置されており、
前記固定部材は、弾力性を有するシート材料である、請求項２に記載の衣服ケース。
【請求項４】
前記固定部材は、シート材料であり、
前記衣服ケースには、前記シート材料を巻き上げる巻上機構が取り付けられている、請求項２に記載の衣服ケース。
【請求項５】
前記第１凹部の底面の少なくとも一部を構成する前記透光性材料は、前記第１ケース部と一体的に構成されており、かつ、
前記第２凹部の底面の少なくとも一部を構成する前記透光性材料は、前記第２ケース部と一体的に構成されている、請求項１から４の何れか１つに記載の衣服ケース。
【請求項６】
前記隣接領域部がフック形状になるように構成されている前記開口部は、少なくとも２つ形成されている、請求項１から５の何れか１つに記載の衣服ケース。
【請求項７】
前記第１ケース部と第２ケース部を互いに合わせた構造体において、前記第１ケース部および前記第２ケース部を貫通する貫通孔が形成されている、請求項１から６の何れか１つに記載の衣服ケース。
【請求項８】
さらに、前記フック形状を有する前記隣接領域部と係合するロッド部と、前記ロッド部を支持する支持部とから構成されたハンガーラックを備えている、請求項１から７の何れか一つに記載の衣服ケース。
【請求項９】
衣服を収納する衣服ケースであって、
内側に第１凹部を有する第１ケース部と、
内側に第２凹部を有する第２ケース部と、
前記第１ケース部と前記第２ケース部とを連結する連結部と
を備え、
前記第１ケース部と第２ケース部を互いに合わせた構造体において、前記第１凹部と前記第２凹部は、衣服を収納する収納スペースを構成し、
前記第１凹部の底面の少なくとも一部および前記第２凹部の底面の少なくとも一部は、透光性材料から構成されており、
前記第１ケース部と第２ケース部を互いに合わせた構造体において、前記第１ケース部および前記第２ケース部を貫通する貫通孔が形成されている、衣服ケース。
【請求項１０】
衣服を収納する衣服ケースであって、
内側に第１凹部を有する第１ケース部と、
内側に第２凹部を有する第２ケース部と、
前記第１ケース部と前記第２ケース部とを連結する連結部と
を備え、
前記第１ケース部と第２ケース部を互いに合わせた構造体において、前記第１凹部と前記第２凹部は、衣服を収納する収納スペースを構成し、
前記第１凹部の底面の少なくとも一部および前記第２凹部の底面の少なくとも一部は、透光性材料から構成されており、
前記第１ケース部と第２ケース部を互いに合わせた構造体に、フック形状を有するフック部材が取り付けられている、衣服ケース。
【請求項１１】
前記第１凹部と前記第２凹部の少なくとも一方には、前記衣服を固定する固定部材が配置されている、請求項９または１０に記載の衣服ケース。
【請求項１２】
衣服を収納する方法であって、
内側に第１凹部を有する第１ケース部と、内側に第２凹部を有する第２ケース部と、前記第１ケース部と前記第２ケース部とを連結する連結部とを備えた衣服ケースを用意する工程であって、前記第１凹部の底面の少なくとも一部および前記第２凹部の底面の少なくとも一部は透光性材料から構成されている、衣服ケースを用意する工程と、
前記衣服ケースにおける前記第１ケース部と前記第２ケース部を開いた状態において、前記第１凹部および前記第２凹部の一方に、衣服を配置する工程と、
前記衣服を配置した状態において、前記第１ケース部と前記第２ケース部とが互いに合わせるように閉じることによって、前記衣服を前記衣服ケース内に閉じ込める工程と
を含む、衣服収納方法。
【請求項１３】
前記衣服ケースを用意する工程において、前記第１凹部と前記第２凹部の少なくとも一方には、前記衣服を固定する固定部材が配置されており、
前記衣服を配置する工程において、前記衣服は、前記透光性材料と接触するようにして、前記第１凹部および前記第２凹部の一方に配置される、請求項１２に記載の衣服収納方法。
【請求項１４】
前記固定部材は、シート部材であり、
前記衣服ケースには、前記シート部材を巻き上げる巻上機構が設けられており、
前記閉じ込める工程の後、前記シート部材を巻き上げることによって、前記衣服を固定することを実行する、請求項１３に記載の衣服収納方法。
【請求項１５】
前記衣服ケースを用意する工程において、前記衣服ケースには、フック部および貫通孔の少なくとも一方が設けられており、
前記閉じ込める工程の後、前記フック部および貫通孔の少なくとも一方を用いて、前記衣服ケースをロッド部材に係合する工程を実行する、請求項１２から１４の何れか１つに記載の衣服収納方法。
【発明の詳細な説明】
【技術分野】
【０００１】
本発明は、衣服ケースおよび衣服収納方法に関し、特に、衣服の形状を維持しながらその衣服をケース越しに見ることができる衣服ケースおよび衣服収納方法に関する。
【背景技術】
【０００２】
衣服（洋服、Ｔシャツ、ドレスなど）は、洋服店などの店舗において、畳まれた状態か、ハンガーに吊した状態で陳列販売されていることが多い。または、マネキンに着せた状態で陳列販売されているか、衣服を収納した箱が積層された状態で店舗の裏の保管庫にて保管されていることもある。洋服店などの店舗において、衣服は、購入者（消費者、ユーザー、閲覧者、お客）にできるだけきれいな状態で見て貰う必要があるとともに、衣服は通常一品ではなく、複数品販売するものであるので、多数店舗に保管しておく必要がある。
【０００３】
通常、洋服店においては、数点の衣服をマネキンに着せた状態で展示し、あとは、ハンガーで吊して陳列し、その他は、畳んだ状態で店舗内に置いていることが多い。そして、店舗に陳列していない衣服は、店舗裏の保管庫で保管している。洋服店では、この陳列・保管の態様が典型的なものであるので、陳列手法を工夫するとしても、慣習的にこの態様での陳列・保管が続けられている。
【先行技術文献】
【特許文献】
【０００４】
【特許文献１】実公平６−８７７３号公報
【特許文献２】特許第５８７６１３５号公報
【特許文献３】実開平５−９３２６８号公報
【発明の概要】
【発明が解決しようとする課題】
【０００５】
本願発明者が、衣服（洋服など）の陳列手法を検討していると、次のような問題に気付いた。まず、衣服を畳んだ状態で棚の上に置いた場合、その畳んだ衣服を重ねて置くことで、狭い店内であっても、数多くの衣服を陳列することができるが、畳んだ状態では、その衣服をきちんと見ることができない。そして、購入者（閲覧者）は、その畳んだ状態の衣服を広げて、衣服の全体像を確認した後、購入しないときは、適当に畳むか丸めた状態で棚に戻す。この場合、購入者（閲覧者）は、畳んだ状態では衣服をきちんと見ることができず、そして、店舗のスタッフは、購入者（閲覧者）が見た後の衣服を毎回きれいに畳んで棚に置く必要があり、その労力（時間、エネルギー）は膨大なものになる。
【０００６】
一方で、衣服をマネキンに着せて陳列した場合、購入者（閲覧者）は、きれいな状態で衣服を見ることはできるが、店舗としては、衣服を着せたマネキンがスペースをとってしまうので、多くのマネキンを置くことができず、その結果、陳列できる衣服が少なくなってしまうという欠点がある。加えて、マネキンは、目立つように高いところや、購入者（閲覧者）がすぐに手に取れない領域（または、ショーウインドー内の領域）に配置することも多く、購入者が近くで見ることができないことがあるという欠点がある。
【０００７】
衣服をハンガーで吊す場合、衣服の全体の姿を比較的きれいに見せながら、ハンガーを通した衣服を多数掛けることにより（具体的には、ハンガーのフックを棒に吊すことにより）、数多くの衣服を展示することができる。しかしながら、衣服が売れるたびに、店舗スタッフは、保管庫の箱の中にある衣服を新たなハンガーに通す作業を繰り返す必要がある。また、ハンガーから衣服を外したお客（閲覧者）が、ハンガーに衣服を戻さずに丸めた状態で付近に衣服を置く場合があり、そのときも、店舗スタッフは、衣服をハンガーにセットしなおす手間がかかる。
【０００８】
加えて、今日、お客が店舗で見てそのまま購入する形態でなく、購入した衣服を宅配で自宅まで送って貰う形態もある。その場合、ハンガー（又はマネキン）の衣服をきれいに畳んで、それにカバーをかけた後、それを箱にいれて宅配する必要がある。この衣服を畳んでカバーをかけるのも実は手間であるが、それが当たり前であるがゆえに見過ごされている。
【０００９】
本願発明者は、ふとした時に、上述の問題を解決できる手法を見つけて本発明に至った。本発明はかかる点に鑑みてなされたものであり、その主な目的は、衣服の全体を見ることができるとともに、衣服をくずさずに、棒にかけることができる衣服ケースを提供することにある。
【課題を解決するための手段】
【００１０】
本発明に係る衣服ケースは、衣服を収納する衣服ケースであり、内側に第１凹部を有する第１ケース部と、内側に第２凹部を有する第２ケース部と、前記第１ケース部と前記第２ケース部とを連結する連結部とを備え、前記第１ケース部と前記第２ケース部を互いに合わせた構造体において、前記第１凹部と前記第２凹部は、衣服を収納する収納スペースを構成し、前記第１凹部の底面の少なくとも一部および前記第２凹部の底面の少なくとも一部は、透光性材料から構成されており、前記第１ケース部と前記第２ケース部を互いに合わせた構造体において、前記第１ケース部および前記第２ケース部が互いに隣接する隣接領域部に開口部が形成されており、前記開口部は、前記隣接領域部がフック形状になるように構成されている。
【００１１】
ある好適な実施形態において、前記第１凹部と前記第２凹部の少なくとも一方には、前記衣服を固定する固定部材が配置されている。
【００１２】
ある好適な実施形態において、前記固定部材は、前記第１凹部と前記第２凹部の両方に配置されており、前記透光性材料は、弾力性を有するシート材料である。
【００１３】
ある好適な実施形態において、前記固定部材は、シート材料であり、前記衣服ケースには、前記シート材料を巻き上げる巻上機構が取り付けられている。
【００１４】
ある好適な実施形態において、前記第１凹部の底面の少なくとも一部を構成する前記透光性材料は、前記第１ケース部と一体的に構成されており、かつ、前記第２凹部の底面の少なくとも一部を構成する前記透光性材料は、前記第２ケース部と一体的に構成されている。
【００１５】
ある好適な実施形態において、前記隣接領域部がフック形状になるように構成されている前記開口部は、少なくとも２つ形成されている。
【００１６】
ある好適な実施形態では、前記第１ケース部と前記第２ケース部を互いに合わせた構造体において、前記第１ケース部および前記第２ケース部を貫通する貫通孔が形成されている。
【００１７】
ある好適な実施形態では、さらに、前記フック形状を有する前記隣接領域部と係合するロッド部と、前記ロッド部を支持する支持部とから構成されたハンガーラックを備えている。
【００１８】
本発明に係る他の衣服ケースは、衣服を収納する衣服ケースであり、内側に第１凹部を有する第１ケース部と、内側に第２凹部を有する第２ケース部と、前記第１ケース部と前記第２ケース部とを連結する連結部とを備え、前記第１ケース部と前記第２ケース部を互いに合わせた構造体において、前記第１凹部と前記第２凹部は、衣服を収納する収納スペースを構成し、前記第１凹部の底面の少なくとも一部および前記第２凹部の底面の少なくとも一部は、透光性材料から構成されており、前記第１ケース部と前記第２ケース部を互いに合わせた構造体において、前記第１ケース部および前記第２ケース部を貫通する貫通孔が形成されている。
【００１９】
本発明に係る更に他の衣服ケースは、衣服を収納する衣服ケースであり、内側に第１凹部を有する第１ケース部と、内側に第２凹部を有する第２ケース部と、前記第１ケース部と前記第２ケース部とを連結する連結部とを備え、前記第１ケース部と前記第２ケース部を互いに合わせた構造体において、前記第１凹部と前記第２凹部は、衣服を収納する収納スペースを構成し、前記第１凹部の底面の少なくとも一部および前記第２凹部の底面の少なくとも一部は、透光性材料から構成されており、前記第１ケース部と前記第２ケース部を互いに合わせた構造体に、フック形状を有するフック部材が取り付けられている。
【００２０】
ある好適な実施形態において、前記第１凹部と前記第２凹部の少なくとも一方には、前記衣服を固定する固定部材が配置されている。
【００２１】
本発明に係る衣服収納方法は、衣服を収納する方法であり、内側に第１凹部を有する第１ケース部と、内側に第２凹部を有する第２ケース部と、前記第１ケース部と前記第２ケース部とを連結する連結部とを備えた衣服ケースを用意する工程であって、前記第１凹部の底面の少なくとも一部および前記第２凹部の底面の少なくとも一部は透光性材料から構成されている、衣服ケースを用意する工程と；前記衣服ケースにおける前記第１ケース部と前記第２ケース部を開いた状態において、前記第１凹部および前記第２凹部の一方に、衣服を配置する工程と；前記衣服を配置した状態において、前記第１ケース部と前記第２ケース部とが互いに合わせるように閉じることによって、前記衣服を前記衣服ケース内に閉じ込める工程とを含む。
【００２２】
ある好適な実施形態では、前記衣服ケースを用意する工程において、前記第１凹部と前記第２凹部の少なくとも一方には、前記衣服を固定する固定部材が配置されており、前記衣服を配置する工程において、前記衣服は、前記透光性材料と接触するようにして、前記第１凹部および前記第２凹部の一方に配置される。
【００２３】
ある好適な実施形態において、前記固定部材はシート部材であり、前記衣服ケースには、前記シート部材を巻き上げる巻上機構が設けられており、前記閉じ込める工程の後、前記シート部材を巻き上げることによって、前記衣服を固定することを実行する。
【００２４】
ある好適な実施形態では、前記衣服ケースを用意する工程において、前記衣服ケースには、フック部および貫通孔の少なくとも一方が設けられており、前記閉じ込める工程の後、前記フック部および貫通孔の少なくとも一方を用いて、前記衣服ケースをロッド部材に係合する工程を実行する。
【発明の効果】
【００２５】
本発明に係る衣服ケースによれば、第１凹部を有する第１ケース部と、第２凹部を有する第２ケース部とを互いに合わせた構造体において、第１凹部と第２凹部とから構成された収納スペースに衣服を収納することができる。そして、第１凹部の底面の少なくとも一部および第２凹部の底面の少なくとも一部は透光性材料から構成されており、第１ケース部と第２ケース部を互いに合わせた構造体における隣接領域部がフック形状になるように開口部が構成されている。したがって、衣服ケース内に衣服を収納した状態で、当該フック形状の部分を用いて衣服ケースをロッド部材に吊すことができ、また、衣服ケースに収納されている衣服は、透光性部材を通して外部から見ることができる。その結果、衣服の全体を見ることができるとともに、衣服をくずさずに、棒（ロッド部材、ハンガーラックなど）にかけることができる衣服ケースを実現することができる。
【図面の簡単な説明】
【００２６】
【図１】特許文献１の衣服カバー１０００を示す図である。
【図２】（ａ）および（ｂ）は、特許文献２の衣服カバー２０００を示す図である。
【図３】（ａ）および（ｂ）は、特許文献３の収納ケース３０００を示す図である。
【図４】本発明の実施形態に係る衣服ケース１００の構成を示す模式図である。
【図５】本発明の実施形態に係る衣服ケース１００の構成を示す模式図である。
【図６】本発明の実施形態に係る衣服ケース１００の構成を示す模式図である。
【図７】本発明の実施形態に係る衣服ケース１００の構成を示す分解模式図である。
【図８】本発明の実施形態に係る衣服ケース１００の構成を示す断面模式図である。
【図９】本発明の実施形態に係る衣服ケース１００がハンガーラック９０に吊り下がっている状態を示す図である。
【図１０】本発明の実施形態に係る衣服ケース１００がハンガーラック９０に吊り下がっている状態を示す図である。
【図１１】本発明の実施形態の改変例に係る衣服ケース１００の構成を示す模式図である。
【図１２】本発明の実施形態の改変例に係る衣服ケース１００の構成を示す模式図である。
【図１３】本発明の実施形態に係るフック部材８０の構成を示す模式図である。
【図１４】衣服としてＴシャツ５２を説明するための図である。
【図１５】衣服（Ｔシャツ）５２を収納した衣服ケース１００を説明するための図である。
【図１６】衣服（Ｔシャツ）５２を収納した衣服ケース１００の改変例を説明するための図である。
【図１７】本発明の実施形態の改変例に係る衣服ケース１１０の構成を示す模式図である。
【図１８】本発明の実施形態に係る巻上機構６０の構成を示す模式図である。
【図１９】本発明の実施形態に係る収納ケース１２０の構成を示す模式図である。
【図２０】本発明の実施形態に係る収納ケース１２０の構成を示す模式図である。
【発明を実施するための形態】
【００２７】
本発明の実施形態を説明する前に、まず、本願発明者が検討した内容について説明し、その後に実施形態について説明する。
【００２８】
図１は、特許文献１（実公平６−８７７３号公報）に開示されている衣服カバー１０００を示している。図１に示した衣服カバー１０００は、衣服（スーツ）１５００を覆う袋カバー１１００から構成されており、衣服１５００はハンガー１３００にかけられている。袋カバー１１００は、透明なプラスチックフィルム材から構成されており、袋カバー１１００には、通気性を確保する通気切条１２００が形成されている。そして、袋カバー１１００をかけた衣服１５００は、ハンガー１３００のフック１３５０で吊すことができる。
【００２９】
図１に示した衣服カバー１０００の場合、透明な袋カバー１１００を通して、衣服１５００の外観を見ることができる。しかしながら、この衣服１５００は、基本的にきちんと畳まれてハンガー１３００にかけられた状態のものであるので、衣服１５００の実際の全体像はわからない。クリーニング店から持ち帰る場合、または、洋服店の店頭の置くに配置しておく分には良いが、お客が衣服１５００を購入する時は、衣服カバー１０００から衣服１５００を取り出して、衣服１５００を広げて見てみる必要がある。そして、この場合、衣服カバー１０００から取り出して広げられた衣服１５００を後で、再び畳む手間が発生する。また、衣服カバー１０００は、柔らかいプラスチックフィルム材から構成されているので、取り扱いによっては、衣服カバー１０００を被せていても、衣服１５００に皺が発生する可能性もある。
【００３０】
図２（ａ）および（ｂ）は、特許文献２（特許第５８７６１３５号公報）に開示されている衣服カバー２０００を示している。図２（ａ）は、衣服を吊り下げる時の構成を示している。そして、図２（ｂ）は、荷造り及び荷ほどきのために広げた状態の構成を示している。図２（ａ）に示した衣服カバー２０００は、ハンガー２３００に衣服（不図示）をかけた状態で、主シート２１００の表面にその衣服を配置することができる。主シート２１００の後ろ側には、緩衝部２２００が位置する構造となっている。また、図２（ｂ）に示すように、荷造り及び荷ほどきの時には、衣服カバー２０００を小さくすることができ、矢印２４００の方向に引き出すことで、図２（ａ）に示した吊り下げる構成にすることができる。
【００３１】
図２（ａ）に示した衣服カバー２０００の場合、ハンガー２３００に衣服を掛けることで、衣服の全体を見えるようにすることができる。しかしながら、図２（ｂ）に示した状態で衣服カバー２０００をコンパクトにすることができても、図２（ａ）に示した状態では、洋服店の店内で場所をとってしまい、数多くの衣服を陳列することはできない。
【００３２】
図３（ａ）および（ｂ）は、特許文献３（実開平５−９３２６８号公報）に開示されている収納ケース３０００を示している。図３（ａ）は、収納ケース３０００の扉を折り畳んだ状態の構成を示している。そして、図３（ｂ）は、扉を開いた状態の構成を示している。
【００３３】
図３（ａ）に示した収納ケース３０００は、外ケース体３１００と、扉３２００とから構成されている。図３（ｂ）に示すように、扉３２００を開けると、左右の側面板３４００と、その間に設けられた仕切板３４５０から構成された構造体がでてくる。仕切板３４５０の間には、折り畳んだ状態のオープンシャツやワイシャツなどを１枚ずつ収納する収納部３６００が形成されている。
【００３４】
図３（ａ）及び（ｂ）に示した収納ケース３０００は、折り畳んだ状態のオープンシャツやワイシャツなどを収納しておくには便利であるが、広げた状態の衣服の全体を見えるようにすることはできない。また、この収納ケース３０００を、洋服店の店内に置いた場合は、お客は、折り畳んだ状態のシャツを広げて見ることになるが、その後は、店員が広げられたシャツを一つずつ折り畳む作業が発生してしまう。
【００３５】
以上のことを踏まえると、結局、洋服店などの店舗で、衣服（洋服、Ｔシャツなど）を陳列するには、折り畳んだ状態で棚に積み上げるか、ハンガーで吊すか、マネキンに着せるという手法が合理的であるので、それらの手法を使って陳列するということになってしまう。
【００３６】
本願発明者は、そのような手法、すなわち陳列の常識に対して、別の角度からの新たなアイデアを思いついた。具体的には、透明な容器（プラスチック容器）の中に、全体像がわかる状態で衣服を入れた形態にし、その形態で店内に陳列すれば、透明な容器を通して衣服の全体像を見ることができるとともに、その容器にハンガー部分（フック部）を設けておけば、衣服が入った容器ごとロッド部（例えば、ハンガーラック）に吊り下げることができる。
【００３７】
また、店内に陳列する前は、保管庫・倉庫に、衣服が入った容器を積層して保管しておくことができるので、服を陳列する時に、毎回、ハンガーに掛けたり、マネキンに着せる必要もない。棚の上に、畳んだ衣服を陳列する場合でも、通常は、衣服を包装している袋（透明なプラスチック袋）から衣服を取り出して、棚の上に陳列する必要があるが、このアイデアの場合、包装袋から衣服を取り出す必要なく、衣服が入った容器のまま陳列すればよい。
【００３８】
本願発明者は、この従来の常識から外れたアイデアに基づいて、衣服の全体を見ることができるとともに、衣服をくずさずに、棒にかけることができる衣服ケースを完成し、本発明に想到するに至った。以下、図面を参照しながら、本発明の好適な実施形態を説明する。以下の図面においては、説明の簡潔化のために、同じ作用を奏する部材、部位には同じ符号を付し、重複する説明は省略または簡略化することがある。また、各図における寸法関係（長さ、幅、厚さ等）は、必ずしも実際の寸法関係を正確に反映していない場合がある。
【００３９】
また、本明細書において特に言及している事項以外の事柄であって本発明の実施に必要な事項は、当該分野における従来技術に基づく当業者の設計事項として把握され得る。本発明は、本明細書及び図面によって開示されている内容と当該分野における技術常識とに基づいて実施することができる。加えて、本発明は、以下の実施形態に限定されるものではない。
【００４０】
図４は、本発明の実施形態に係る衣服ケース１００の構成を示した模式図である。図５は、本実施形態の衣服ケース１００に衣服５０を収納した状態の構成を示す図である。
【００４１】
本実施形態の衣服ケース１００は、第１ケース部１１と、第２ケース部１２とから構成されており、第１ケース部１１と第２ケース部１２とは連結部１５によって連結されている。
【００４２】
第１ケース部１１は、第１凹部１３ａを有しており、そして、第２ケース部１２は、第２凹部１３ｂを有している。本実施形態の構成においては、第１ケース部１１には、内側（外側から中心方向）７１に凹部（陥没部）１３ａが形成されており、そして、その凹部１３ａを規定する外枠（壁部）１０ｆが外側（中心・内側よりも外方向）７２に設けられている。また、この例においては、凹部１３ａの底面と、外枠（壁部）１０ｆとは、一連一体に成形された構造（容器構造）を有している。ただし、凹部１３ａの底面と、外枠（壁部）１０ｆとを別の部材で構成して、容器構造にすることも可能である。
【００４３】
本実施形態では、第２ケース部１２も、第１ケース部１１と同様の構造を有している。第２ケース部１２には、内側７１に凹部（陥没部）１３ｂが形成されており、そして、その凹部１３ｂを規定する外枠（壁部）１０ｆが外側７２に設けられている。また、この例においては、凹部１３ｂの底面と、外枠（壁部）１０ｆとは、一連一体に成形された構造（容器構造）を有している。ただし、凹部１３ｂの底面と、外枠（壁部）１０ｆとを別の部材で構成して、容器構造にすることも可能である。また、第１ケース部１１と第２ケース部１２とを違う構造で構成しても構わない。たとえば、第１ケース部１１の第１凹部１３ａの深さ（外枠１０ｆの高さ）と、第２ケース部１２の第２凹部１３ｂの深さ（外枠１０ｆの高さ）とを違うものにしてもよい。
【００４４】
第１ケース部１１と第２ケース部１２と連結する連結部１５は、例えば、ちょうつがい、リングなどの接続部材である。本実施形態の連結部１５は、開閉が便利であるということで、ちょうつがいを用いているが、第１ケース部１１と第２ケース部１２と連結することができるのであれば、その他の部材であってもよく、例えば、磁石、ファスナー、嵌合構造部材などを使用することができる。
【００４５】
第１ケース部１１と第２ケース部１２とは互いに合わせた構造体１０にすることができる。そして、第１凹部１３ａと第２凹部１３ｂは、衣服（５０）を収納する収納スペース１３を構成している。具体的には、第１ケース部１１と第２ケース部１２を開いた状態で、第１凹部１３ａおよび第２凹部１３ｂの一方に、衣服（５０）を配置することができる。そして、収納スペース１３に衣服（５０）を配置した状態で、第１ケース部１１と第２ケース部１２とを閉じると（すなわち、第１ケース部１１の外枠１０ｆと第２ケース部１２の外枠１０ｆを合わせるようにすると）、衣服ケース１００内の収納スペース１３に衣服（５０）を収納することができる。
【００４６】
本実施形態の構成において、第１凹部１３ａの底面３５の少なくとも一部および第２凹部１３ｂの底面３５の少なくとも一部は、透光性材料から構成されている。具体的には、第１凹部１３ａの底面３５および第２凹部１３ｂの底面３５のうちの、衣服（５０）が位置する領域は、透光性材料から構成されており、すなわち、その領域が透明となっていることから、衣服（５０）を衣服ケース１００の外から見ることができる。図４に示した例では、第１ケース部１１の全体および第２ケース部１２の全体を透光性部材から構成している。また、透光性部材は、無色・透明であることが好ましいが、それに限らず、衣服が見える程度で、着色してあったり、模様が形成されていたり、乳濁の材料であったりしても構わない。また、第１凹部１３ａの底面３５の全面および第２凹部１３ｂの底面３５の全面を透光性部材から構成して、第１ケース部１１の外枠１０ｆおよび第２ケース部１２の外枠１０ｆは透光性でない材料（例えば、白色または黒色のモノトーン材料、着色材料、金属材料など）で構成することも可能である。
【００４７】
本実施形態の第１ケース部１１および第２ケース部１２は、樹脂材料から構成されている。そして、第１ケース部１１および第２ケース部１２の底面３５の少なくとも一部は、透光性材料から構成されており、その透光性材料は、透光性の樹脂材料である。第１ケース部１１および第２ケース部１２を構成する樹脂材料は、例えば、アクリル系樹脂、ポリカーボネイト、ポリエステル樹脂、ＡＢＳ樹脂などであるが、使用における強度などの特性が確保できるのであれば材料に特に制限があるわけではない。また、透光性材料として、ガラス材料、セラミック材料を使用することも可能である。特に、第１ケース部１１の外枠１０ｆおよび第２ケース部１２の外枠１０ｆは透光性でない材料を使用する場合、外枠１０ｆの材料として、例えば、樹脂材料、金属材料、セラミック材料、ガラス材料を使用することができ、第１凹部１３ａの底面３５の全面（または、一部）および第２凹部１３ｂの底面３５の全面（または、一部）を構成する透光性部材として、樹脂材料、ガラス材料、セラミック材料を使用することができる。
【００４８】
また、本実施形態の構成では、第１ケース部１１と第２ケース部１２を互いに合わせた構造体１０において、第１ケース部１１および第２ケース部１２が互いに隣接する隣接領域部１９に、開口部２０（２０ａ、２０ｂ）が形成されている。図４に示した例では、第１ケース部１１と第２ケース部１２とを開いた状態において、連結部１５が位置する箇所の隣接領域部１９（外枠１０ｆの隣接箇所）に開口部２０（２０ａ、２０ｂ）が形成されている。この開口部２０は、隣接領域部１９がフック形状（２１）になるように構成されている。すなわち、隣接領域部１９のうち開口部２０が形成されている領域は、フック形状を有するフック部２１となっている。このフック部２１によって衣服ケース１００を吊り下げることができる。
【００４９】
また、本実施形態の構成では、第１ケース部１１と第２ケース部１２を互いに合わせた構造体１０において、第１ケース部１１および第２ケース部１２を貫通する貫通孔２５（２５ａ、２５ｂ）が形成されている。この貫通孔２５にロッド部（棒形状、リング形状の支持部）を通すことで、衣服ケース１００を吊すことが可能である。
【００５０】
本実施形態の衣服ケース１００では、第１凹部１３ａと第２凹部１３ｂとから構成された収納スペース１３に衣服（５０）を配置することが可能である。衣服（５０）は、収納スペース１３内において、固定部材（例えば、テープ、ピン、面ファスナー（商品名：マジックテープ）、固定用型紙、磁石など）によって固定することができる。また、充填用材料（例えば、発泡スチロール、空気が充填された袋部材、気泡緩衝材、充填用シート材料・短冊状材料など）を収納スペース１３に敷き詰めて（充填して）、衣服（５０）を固定させることもできる。充填用材料は、透光性であることが好ましい。また、衣服（５０）を固定させるための樹脂製の型部材を配置しておき、その型部材に衣服（５０）をはめ込むようにしてもよい。例えば、襟があるような衣服（ワイシャツなど）の場合、その襟の厚み部分のところを受け止めることができる型部材を形成することが可能である。
【００５１】
ここで、図４に示した例では、第１ケース部１１の第１凹部１３ａを覆うように被覆シート３０ａ（１３）を設けており、そして、第２ケース部１２の第２凹部１３ｂを覆うように被覆シート３０ａ（１３）を設けている。この例では、被覆シート３０（３０ａ、３０ｂ）は、弾力性のあるシート部材（例えば、塩ビ製シートのような樹脂シート部材、ゴムシート、熱可塑性エラストマー材料シートなど）に張力をかけた状態にしている。したがって、第１ケース部１１と第２ケース部１２を閉じたときには、被覆シート３０（３０ａ、３０ｂ）の間に衣服（５０）が挟まって、収納スペース１３内にて宙づり状態で衣服（５０）を固定することができる。被覆シート３０は、衣服（５０）を見せるために透光性であることが好ましいが、一部不透明であっても構わない。
【００５２】
図４に示した状態の衣服ケース１００に衣服５０をセットして、第１ケース部１１と第２ケース部１２を互いに合わせて閉じると、図５に示すような状態になる。衣服５０は、収納スペース１３（１３ａ、１３ｂ）に収納された状態で固定されている。そして、凹部１３の底面３５（または、ケース構造体１０の表面・主面）の少なくとも一部（この例では全面）が透明であるので、衣服５０を衣服ケース１００の外から見ることができる。また、図示した例では、第１ケース部１１の底面３５および第２ケース部１２の底面３５の両方を透明にしているので、衣服５０の正面も背面も、衣服ケース１００の外から見ることができる。
【００５３】
本実施形態の構成では、第１ケース部１１と第２ケース部１２を互いに合わせた構造（ケース構造体）１０において、第１ケース部１１と第２ケース部１２との接合面１０ｓは、隙間無く合わさっていることが好ましい。ただし、防水性や気密性が要求されているわけではないので、接合面１０ｓに隙間が存在していても構わない。また、この例における第１ケース部１１と第２ケース部１２との接合面１０ｓは、外枠１０ｆの上面である平面同士が接触する形態であるが、これに限らず、対面する外枠１０ｆの上面が互いに合わさるような形態（例えば、波形形状、三角形状の上面）にして、第１ケース部１１と第２ケース部１２が互いにずれずに合わせることができる構造にしてもよい。
【００５４】
本実施形態の衣服ケース１００（ケース構造体１０）では、開口部２０によって形成されたフック部２１は、複数存在している。図５に示した例では、上側の第１フック部２１ａと、下側の第２フック部２１ｂが設けられている。ケース構造体１０の長手方向（縦方向、Ｌ方向）の部位（１９、１０ｆ）に複数（ここでは、２つ）のフック部２１を形成しておくと、衣服ケース１００を安定して固定することが容易になる。なお、ケース構造体１０に１つだけフック部２１を形成しても構わない。また、図示した構成では、ケース構造体１０の幅方向（横方向、Ｗ方向）の部位に貫通孔２５を設けているが、貫通孔２５に代えて（または、貫通孔２５とともに）ケース構造体１０の幅方向の部位（１０ｆ）にフック部２１を設けてもよい。さらに、ケース構造体１０の幅方向の部位（１０ｆ）にフック部２１を設けた上で、ケース構造体１０の長手方向（縦方向、Ｌ方向）の部位（１９、１０ｆ）に貫通孔２５を形成しても構わない。
【００５５】
図５に示した構成例において、あくまで例示であるが、ケース構造体１０の長手方向（縦方向、Ｌ方向）の寸法は、例えば１００ｍｍ〜２０００ｍである。また、ケース構造体１０の幅方向（横方向、Ｗ方向）の寸法は、例えば１００ｍｍ〜１２００ｍｍである。さらに、ケース構造体１０の厚さ方向（Ｔ方向）の寸法は、例えば３０ｍｍ〜４００ｍｍである。ただし、この寸法に限らず、収納する衣服５０にあわせて適宜好適なものを採用したらよい。加えて、図５に示した例では、衣服ケース１００（ケース構造体１０）は、略矩形の形状（角が丸い長方形、または、厚みを考慮すると直方体）を有しているが、それに限らず、他の形状にしてもよい。衣服ケース１００を平面的に見た場合で、衣服ケース１００の形状を、例えば、角が直角な矩形、円形、長円、楕円、ひょうたん型、幾何学形状（例えば六角形）などにすることができるし、衣服ケース１００を立体的に見た場合で、衣服ケース１００の形状を、例えば、人形形状、キャラクター形状、動物形状、円柱形状（円筒形状）、ビン形状などにしても構わない。
【００５６】
また、衣服ケース１００において、一部、衣服５０に接触できる箇所（開口、扉部、スライド部など）を形成しておき、お客が衣服５０の触感を感じることができるようにしてもよい。また、ケース構造体１０を閉じた時に簡単に開いてしまわないように（特に、搬送中など）、第１ケース部１１と第２ケース部１２を互いに合わせたにしておく、留め金部（または、固定具、鍵部）を設けておいてもよい。さらに、第１ケース部１１と第２ケース部１２を簡単に開放状態にできるように、開放スイッチ機構を設けたり、第１ケース部１１と第２ケース部１２との接合面１０ｓの一部に指（または器具）が入る箇所を設けておいてもよい。
【００５７】
図５に示した衣服ケース１００の断面図（側面断面図）の一例を図６に示す。図６に示すように、収納物（衣服）５０を被覆シート３０（３０ａ、３０ｂ）によって包んでおり、被覆シート３０の弾力性（および張力）で収納物（衣服）５０を収納スペース１３内に固定している。
【００５８】
さらに、図７および図８を参照して、衣服ケース１００の構造について説明する。図７は、第１ケース部１１および第２ケース部１２の部分を分解した状態の分解側面断面図である。図８は、第１ケース部１１および第２ケース部１２を合わせた状態の側面断面図であり、ここでは、収納物（衣服）５０は、衣服ケース１００（収納スペース１３）に入れていない。
【００５９】
図７に示すように、被覆シート３０は、ケース部（１１、１２）の凹部１３を覆うように配置されている。図示した例では、凹部１３の上側（外壁１０ｆの上面とほぼ同じ位置）に被覆シート３０は張られているが、凹部１３の上側よりも底面（３５）側、例えば、凹部１３の上と底面の中間に被覆シート３０を張ってもよい。図７に示したケース部（１１、１２）を互いに合わせると図８に示した構成になる。
【００６０】
なお、上述の図４に示したような蝶番式の連結部１５を図８に示した構成に用いても良いが、図７に示した構成（ケース部１１・１２が分離した構成）において、衣服５０を収納スペースに配置して、その後、図８に示した構成（閉じた構成）にして、その状態（図８に示した状態）で連結部１５（例えば、嵌合構造、ボルトナット構造、ネジ構造、鍵構造）を設けるようにしても構わない。
【００６１】
本実施形態の衣服ケース１００は、例えば、図９に示すようなハンガーラック９０にセットすることができる。図９に示したハンガーラック９０は、本実施形態の衣服ケース１００を吊すためのロッド部９２（９２ａ、９２ｂ）と、そのロッド部９２を支持する支持部９１（９１ａ、９１ｂ）とから構成されている。ロッド部９２は、上側ロッド９２ａと、下側ロッド９２ｂとの複数本の構成となっている。また、支持部９１は、右側支柱９１ａと左側支柱９１ｂのペアになっており、それぞれ土台部９５が下端に設けられていて倒れないようになっている。
【００６２】
本実施形態の衣服ケース１００と本実施形態のハンガーラック９０とは、衣服ケースセット２００として組み合わせて用いることができる。衣服ケース１００のフック部２１（２１ａ、２１ｂ）は、ハンガーラック９０のロッド部９２（９２ａ、９２ｂ）で支えられて、吊された状態になっている。なお、衣服ケース１００の貫通孔２５に、フック部２１を入れてセットしても構わない。また、図９に示したハンガーラック９０は、上下にロッド部９２ａ、９２ｂが配置されているが、水平方向にロッド部９２ａ、９２ｂが配置されている形態でも構わない。
【００６３】
図９に示した構成から理解できるように、本実施形態の衣服ケース１００は、数多くの衣服５０を店内に配置することができ、お客は、ロッド部９２を利用しながら衣服ケース１００をスライドさせることで、衣服５０の正面・背面を見ることができる。衣服ケース１００は、ケース構造体１０で覆われているので、お客が触っても、衣服５０が型崩れすることはなく、それゆえ、店員の負担が減る。また、お客が衣服５０を試着したい場合には、ケース構造体１０を開いて、衣服５０を取り出してお客に渡すだけなので、特別に難しい作業は不要である。
【００６４】
売れ行きの良い衣服５０は、衣服ケース１００に入れたまま、倉庫・保管庫から店内に入れて、ハンガーラック９０に吊せば良いので便利である。また、売れ行きの悪い衣服（または、売れ残り続けている衣服）５０は、衣服ケース１００のまま、倉庫・保管庫に移動して、また別の日にハンガーラック９０に吊せばよいので、その点でも非常に利便性に優れている。
【００６５】
衣服ケース１００に衣服５０をセットする作業は、衣服店（洋服店）で行っても良いし、衣服５０を製造する工場でそのようにセットして、衣服５０入りの衣服ケース１００として、洋服店（デパート、スーパーマーケットなども含む）に納品されてもよい。
【００６６】
本実施形態のハンガーラック９０は、図９に示したものに限らず、例えば、図１０に示すような円環状のロッド部９３（９３ａ、９３ｂ）を有するものであってもよい。図９に示したハンガーラック９０は、円環タイプのロッド部９３（９３ａ、９３ｂ）と、そのロッド部９３を支持する支持部（支柱）９７とから構成されている。支持部（支柱）９７の下端には、土台部９６が設けられており、ハンガーラック９０が倒れないようになっている。
【００６７】
本実施形態の衣服ケース１００によれば、第１凹部１３ａを有する第１ケース部１１と、第２凹部１３ｂを有する第２ケース部１２とを互いに合わせたケース構造体１０において、第１凹部１３ａと第２凹部１３ｂとから構成された収納スペース１３に衣服を収納することができる。そして、第１凹部１３ａの底面３５および第２凹部１３ｂの底面３５は透光性材料から構成されており、ケース構造体１０のうちの第１ケース部１１と第２ケース部１２が互いに隣接する隣接領域部１９にフック部２１が構成されている。したがって、衣服ケース１００内に衣服５０を収納した状態で、フック部２１を用いて衣服ケース１００をロッド部材に吊すことができ、また、衣服ケース１００に収納されている衣服５０は、透光性部材３５を通して外部から見ることができる。その結果、衣服５０の全体を見ることができるとともに、衣服５０をくずさずに、ロッド部材９２（またはロッド部材９３、ハンガーラック９０）にかけることができる。
【００６８】
本実施形態の衣服ケース１００には、衣服５０として、シャツ、スーツ、スカート、ワンピース、パンツ・ズボン（ジーンズ）、Ｔシャツ、下着、水着、靴下などを収納することができる。また、図１１に示すように、本実施形態の構成では、ウエディングドレスのようなドレス５１を衣服ケース１００に収納することができる。そのようなドレス５１は広がりが大きく、店内で場所をとるために、数多く陳列することが難しく、広い店舗を使うか、厳選したドレスを陳列するしか手はなかった。本実施形態の衣服ケース１００を用いたら、そのようなドレス５１であっても、衣服ケース１００（ケース構造体１０）に収納することができ、数多くの衣服（ドレス）５１を保管しながら、必要な分を、簡単にお客に見せることができる。また、衣服ケース１００を店内で陳列しても、ドレス５１の広がりを抑えることができるので、数多くの衣服ケース１００を陳列して、各ドレス５１をお客に見てもらうことができる。
【００６９】
図１１に示した衣服ケース１００は、フック部２１ではなく、貫通孔２３（２３ａ、２３ｂ）および貫通孔２５（２５ａ、２５ｂ）を形成した構造にしているが、フック部２１を形成した構造のものでも構わない。図１１に示した衣服ケース１００では、ドレス（衣服）５１のふんわり感を出すために、図４又は図７で示した被覆シート３０を配置せずに、凹部１３ｂ（１３）にドレス５１を配置して固定している。なお、図１１に示した衣服ケース１００において、被覆シート３０をケース構造体１０にセットして、被覆シート３０でドレス５１を挟むようにして固定しても構わない。
【００７０】
図１１に示した衣服ケース１００を閉じると、図１２に示すような状態になる。図１２に示した衣服ケース１００は、第１ケース部１１および第２ケース部１２の全部を透明の材料にして、立体的に、ドレス（衣服）５１を見ることができるようにしている。
【００７１】
また、本実施形態に係る衣服ケース１００では、外枠１０ｆ（隣接領域部１９）に、フック部２１（または、貫通孔２３、貫通孔２５）を形成する構成に限らず、次のようにしても構わない。例えば、図１３に示すように、ケース構造体１０に、板状部材（フック部材本体部）８３にフック部２１が形成されたアタッチメント部材（取付式フック部材）８０を装着する構造にしてもよい。アタッチメント部材８０には、フック部２１の代わりに（または、フック部２１とともに）貫通孔２３（または貫通孔２５）を形成したものを使用してもよい。
【００７２】
図１３の矢印８１に示すように、アタッチメント部材８０をケース構造体１０に取り付けると、フック部２１付の衣服ケース１００にすることができる。アタッチメント部材８０とケース構造体１０との間の接合は、接続手段（例えば、嵌合部材、ネジ部材、磁石、接着剤など）によって実行することができる。
【００７３】
図１３に示した構造の場合、ハンガーラック９０に吊さないものは、ケース構造体１０の状態の衣服ケース１００で積層して使用し（または、保管庫で保管し）、ハンガーラック９０に吊すものには、アタッチメント部材８０を取り付けて使用することができるという利点がある。また、お客宛に郵送する時は、アタッチメント部材８０を取り外して、衣服５０入りの衣服ケース１００を郵送することができるという利点もある。
【００７４】
図１４から図１６は、衣服としてＴシャツ５２を衣服ケース１００に収納する様子を説明する図である。図１４は、Ｔシャツ５２を示しており、そして、図１５および図１６は、それぞれ、本実施形態の衣服ケース１００にＴシャツ５２を収納した様子を示している。
【００７５】
図１５に示した構成では、衣服ケース１００の一部（開口部３５ｓ）を通じて、Ｔシャツ５２の一部（５２ａ）を触れるように構成されている。他の構成要素については、重複事項などで説明を省略する。なお、Ｔシャツ５２は、衣服の厚さが薄いので、第１ケース部１１の第１凹部１３ａおよび第２ケース部１２の第２凹部１３ｂの少なくも一方の深さを浅くする（または、実質的に深さがないような形態）にしても構わない。
【００７６】
図１６に示した衣服ケース１００は、ケース構造体１０にフック部２１（及び／又は、貫通孔）が形成されていない構造をしている。この構造の衣服ケース１００をそのまま使用してもよいし、図１３に示したようなアタッチメント部材８０を当該衣服ケース１００に取り付けて使用してもよい。
【００７７】
図１７は、本実施形態の衣服ケースの改変例１１０の構成を模式的に示している。図１７に示した衣服ケース１１０には、衣服５０を挟んで固定する被覆シート３０を巻き上げることができる機構（シート巻上機構）６０が設けられている。図１８は、シート巻上機構６０部分を取り出した模式図を示している。
【００７８】
シート巻上機構６０は、被覆シート３０の一端３１をケース構造体１０の一部に付けた状態で巻上ダイヤル６２を回すと（矢印６９参照）、被覆シート３０を巻き上げて張力を与えることができる。したがって、被覆シート３０で緩めに衣服５０を覆った状態で衣服ケース１００内に収納した後、シート巻上機構６０で被覆シート３０を巻き上げることで、衣服５０をきれいに衣服ケース１００内に固定することができる。図１７に示したシート巻上機構６０には、フックに吊り下げるための貫通孔（取付部）６５を形成しているが、貫通孔６５を設けずに、衣服ケース１００のフック部２１を用いて吊り下げても構わない（あるいは、図１３に示したアタッチメント部材８０を取り付けてもよい）。
【００７９】
以上、本発明を好適な実施形態により説明してきたが、こうした記述は限定事項ではなく、勿論、種々の改変が可能である。例えば、本実施形態に係る衣服ケースは、図１９および図２０に示すように、シャツ、Ｔシャツ、ドレスなどに加えて、靴５５の収納ケース１２０へ応用することができる。図１９に示した衣服ケース（収納ケース）１２０は、第１凹部１３ａを有する第１ケース部１１と、第２凹部１３ｂを有する第２ケース部１２とから構成されている。第１ケース部１１の第１凹部１３ａには被覆シート３０ａが設けられており、そして、第２ケース部１２の第２凹部１３ｂには被覆シート３０ｂが設けられている。ここで、第１ケース部１１と第２ケース部１２の間に靴５５を配置して、第１ケース部１１と第２ケース部１２とで挟むと、図２０に示すように、靴５５を収納した衣服ケース（収納ケース）１２０となる。衣服ケース（収納ケース）１２０は、透明の部材で構成されているので、靴５５の全体を外側から見ることができる。また、靴５５が入った衣服ケース（収納ケース）１２０を積層していても、それ自体、靴のディスプレイにすることができる。なお、ここでは、靴５５も身体に身につけるものとして、本実施形態の衣服（５０）に含めているが、図４に示した衣服ケース１００が、靴５５を収納できる構成になっていることまでは意味していない。
【産業上の利用可能性】
【００８０】
本発明によれば、衣服の全体を見ることができるとともに、衣服をくずさずに、棒やフックにかけることができる衣服ケースを提供することができる。
【符号の説明】
【００８１】
１０   ケース構造体
１０ｆ 外枠
１０ｓ 接合面
１１   第１ケース部
１２   第２ケース部
１３   収納スペース
１３ａ 第１凹部
１３ｂ 第２凹部
１５   連結部
１９   隣接領域部
２０   開口部
２１   フック部
２３   貫通孔
２５   貫通孔
３０   被覆シート
３５   凹部の底面（透光性部材）
５０   衣服
５１   ドレス
５２   Ｔシャツ
５５   靴
６０   シート巻上機構
６２   巻上ダイヤル
６５   貫通孔
８０   アタッチメント部材（フック部材）
９０   ハンガーラック
９２   ロッド部
９３   ロッド部
９５   土台部
９６   土台部
１００ 衣服ケース
１１０ 衣服ケース
１２０ 衣装ケース（収納ケース）
２００ 衣服ケースセット
１０００  衣服カバー
２０００  衣服カバー
３０００  収納ケース
【図１】
2018015549.tif 000003
【図２】
2018015549.tif 000004
【図３】
2018015549.tif 000005
【図４】
2018015549.tif 000006
【図５】
2018015549.tif 000007
【図６】
2018015549.tif 000008
【図７】
2018015549.tif 000009
【図８】
2018015549.tif 000010
【図９】
2018015549.tif 000011
【図１０】
2018015549.tif 000012
【図１１】
2018015549.tif 000013
【図１２】
2018015549.tif 000014
【図１３】
2018015549.tif 000015
【図１４】
2018015549.tif 000016
【図１５】
2018015549.tif 000017
【図１６】
2018015549.tif 000018
【図１７】
2018015549.tif 000019
【図１８】
2018015549.tif 000020
【図１９】
2018015549.tif 000021
【図２０】
2018015549.tif 000022